(57)【要約】レンジフード用ファン１００を、一部にて排気ダクト２２０に接続されて内部に排気通路１４を形成するケース本体１０と、このケース本体１０内の隔壁１２に支持されて回転軸３１上にファン３２を有するファンモータ３０と、ケース本体１０のフード本体２１０内に開口する部分に形成した排気吸引口１５とにより構成するとともに、ケース本体１０の下方内部に、油煙を含む気体を透過し得る網体によって形成し、ファン３２の回転方向に延びて端部が排気通路１４に開口する複数の第１溝４１を有する第１フィルタ４０を配置するとともに、この第１フィルタ４０の内側に、前記気体を透過し得る網体によって形成し、第１溝４１よりも大きく且つ端部が排気通路１４に開口する複数の第２溝５１を有する第２フィルタ５０を配置して、ファン３２によって排気吸引口１５から吸引された前記気体を各第２溝５１及び第１溝４１に沿って流すことにより、油煙を液化して捕集する。
2005003640.tif 000002
【特許請求の範囲】
【請求項１】
煮炊きをしているなべやフライパン等の調理器（３００）から立ち昇る油煙を含む気体をフード本体（２１０）により捕集して、この油煙を含む気体を排気ダクト（２２０）から屋外に排出するレンジフード（２００）において使用されて、フード本体（２１０）内に収納されるレンジフード用ファン（１００）であって、
このレンジフード用ファン（１００）を、一部にて排気ダクト（２２０）に接続されて、内部に排気通路（１４）を形成するケース本体（１０）と、このケース本体（１０）内の隔壁（１２）に支持されて、回転軸（３１）上にファン（３２）を有するファンモータ（３０）と、ケース本体（１０）の、フード本体（２１０）内に開口する部分に形成した排気吸引口（１５）とにより構成するとともに、
ケース本体（１０）の下方内部に、前記気体を透過し得る網体によって形成し、ファン（３２）の回転方向に延びて端部が排気通路（１４）に開口する複数の第１溝（４１）を有する第１フィルタ（４０）を配置するとともに、この第１フィルタ（４０）の内側に、前記気体を透過し得る網体によって形成し、前記第１溝（４１）よりも大きくかつ端部が排気通路（１４）に開口する複数の第２溝（５１）を有する第２フィルタ（５０）を配置して、
ファン（３２）によって排気吸引口（１５）から吸引された前記油煙を含む気体を、各第２溝（５１）及び第１溝（４１）に沿って流すことにより、第１フィルタ（４０）及び第２フィルタ（５０）によって前記気体内の油煙を液化して捕集するようにしたことを特徴とするレンジフード用ファン（１００）。
【請求項２】
ケース本体（１０）の底部に、排気通路（１４）を開放する開閉蓋（２０）を設けて、この開閉蓋（２０）の内面に第１フィルタ（４０）及び第２フィルタ（５０）を着脱可能に取付けたことを特徴とする請求の範囲第１項に記載のレンジフード用ファン（１００）。
【発明の詳細な説明】
【技術分野】  この発明は、なべやフライパン等の調理器によって煮炊きしたときに発生する油煙を含む気体（この気体中には水蒸気も、ガスレンジであれば排気ガスも含まれる）を、排気ダクトを介して屋外に排出するためのレンジフードに使用されるファンに関するものである。
【背景技術】  台所や調理場においては、なべやプライパン等の種々な調理器によって煮炊きをするため、ガス燃焼による排気ガスや、油煙や臭気を含んだ蒸気等が気体となって放出される。このような油煙を含む気体は、これを直ちに屋外へ排出しないと、燃焼効果を下げたり人に無影響を及ぼす酸欠状態になるし、また油煙によって部屋内を汚してしまうことになる。このため、一般的には、これらの油煙を含む気体を換気扇によって排出したり、あるいは調理器の上方に配置したレンジフードを介して吸引して送風機により排気ダクトから排出したりすることがなされている。
特に、レンジフードを利用する排気方法は、換気扇を使用することに比較すれば、レンジフードによって油煙を含む気体を効率良く案内することができるものであるため、所謂システムキッチンにおいて使用されるものである。しかも、レンジフードを油煙を含む気体の発生場所に近接させれば、油煙を含む気体の排出を確実に行うことができるのであるから、排気方法としてはメリットの高いものである。
ところが、このようなレンジフードを使用した従来の排気方法においては、その作動中に騒音が生じるという第１の問題と、機器内部や排気ダクトの開口部に近い外壁の汚れの原因となる油煙の処理という第２の問題は未だ解消されていない。
まず、第１の騒音問題について考察すると、一般的なレンジフードは調理器の周囲を囲むのに十分な大きさを有しているのに、これから吸引された油煙を含む気体を排出するための排気ダクトは直径が約１５ｃ排気ダクト２２０と限られた大きさしか有していないものであるから、送風機を騒音を生じ易い大型のものとしなければならず、また油煙を含む気体が通気路の種々な場所に当って騒音を発生すると考えられるのである。
また、油煙を含む気体を吸引機によって吸引する場合、油煙を含む気体の通り路に複雑な障害物があると、これにより吸引抵抗を大きくして吸引効率を下げるだけでなく、前述した騒音の発生原因となるものである。より具体的には、排気ダクトの口径は、これを壁や天井裏等に導いて屋外に開口させなければならないから、レンジフードの開口面積に比較すれば前述したように非常に小さいものであり、この口径の小さい排気ダクトに向けて油煙を含む気体を障害なく吸引して排出するためには何等かの工夫が必要になってくるのである。
特に、排気装置とは別の給気装置が設置される台所等においては、排気ガスのみの排出であれば４００ｍ３／ｈ程度の能力を有する排気装置で十分ではあるが、油煙をも排出しようとすると、５００ｍ３／ｈ程度の能力が要求される。しかし、給気装置を別途設けている台所等は少ないため、油煙の排出まで十分に行える排気装置としようとすると、最大７００ｍ３／ｈ程度の能力を有するものとしなければならない。このような能力の大きい排気装置によって直径が１５ｃｍ程度の排気ダクトから排気を行おうとすると、どうしても前述した騒音の発生は避けられないのである。
このため、排気量が大きく騒音の少ない装置として、所謂シロッコファンを採用することが考えられるのであるが、この一般的なシロッコファンはそのケーシングも含めると相当大きな容積のものとなっており、これを容積の小さいレンジフード内や他の部分に設置しようとする場合に、レンジフードやシステムキッチン全体のデザイン構成を大きく変更しなければならない。しかしながら、レンジフード等の容積の変更を含むデザイン変更は、限られた台所スペースでは現状のところ殆ど不可能であり、結果として能力の高いシロッコファンであっても、そのままでは使用あるいは採用できないのである。
このため、本発明者は、レンジフードを使用した排気方法のメリットを十分生かしながら、騒音発生を極めて少なくする、つまり第１問題を解決できる排気装置とするにはどうしたらよいかについて種々検討を重ねてきた結果、特許第２６０９２８０号公報において提案した発明を行ったのである。
この既に提案している発明は、次の通りである。
「台所や調理場に配置されている調理器等から排出される油煙を含む気体をレンジフード１１を介して吸引し、これを排気ダクト側へ排出するための排気装置であって、
この排気装置を、レンジフード内、あるいはその上にてその下方に連通すべく配置されて排気ダクトを収納する収納箱内に配置されて排気ダクトに接続される通気箱と、この通気箱内に収納される吸引機とにより構成するとともに、
通気箱を、その排気ダクト側に接続されてこの排気ダクトに向けて小径となる接続箱を有したものとし、当該通気箱の略中央部内に、排気ダクトの略中心に向けて傾斜する傾斜面を有した隔壁を配置することにより、排気側が排気ダクトに向けて傾斜しながら小径となる一対の通気路を有したものとし、
かつ、吸引機を、隔壁を通して各通気路側に突出する駆動軸を有した駆動モータと、各駆動軸にそれぞれ取付けられて各通気路内に収納されるシロッコファンとにより構成するとともに、各シロッコファンの羽根板を吸気孔側から駆動モータ側にかけて小径となるように傾斜させたことを特徴とする排気装置」
この特許第２６０９２８０号公報において本発明者が既に提案した排気装置は、これで上記第１の問題を解決できたのであるが、その後の検討で、第２の油煙問題については、未だ不十分である可能性が知見されたのである。
次に、油煙に関する第２の問題について考察してみると、一般的なレンジフードにおいては、例えば第１図に示すように、そのフード本体２１０内にフィルタ２３０を配置しておいて、このフィルタ２３０によって直接吸い込んだ油煙を液化して油滴化し捕集するようにしている。ところが、このフード本体２１０内に配置したフィルタ２３０によって油煙の全てを捕集することは不可能であり、残った油煙は、このフィルタ２３０の後流側にある一般的なレンジフード用ファンに吸引され、このレンジフード用ファンを構成しているブレード等を汚すことになる。
フィルタ２３０の内側になっている一般的なレンジフード用ファンは清掃が困難であり、まして、このレンジフード用ファンを構成している内部のブレードの清掃は殆ど不可能である。このため、各ブレードに付着した油滴がだんだんと堆積していったとき、レンジフード用ファンそのものの機能を損なう原因ともなり兼ねない。
このため、特開２０００−１０４９６９号公報にて、「油の捕集性能が向上する簡単構造の多翼ファン用のファンケーシング」が提案された。このファンケーシングは、第１２図に示すように、「風の接触面積をケーシング１内面のみならず、ケーシング１内に設けたエアーガイド４の表裏両面まで拡大」したものであり、「油脂分の捕獲効率が向上し、目詰まりもないファンケーシングを、胴部や左右側板に加工を施すことなく簡単構造でもって低廉下で提供することができる」（上記公報の段落００２１の記載）ものと考えられる。
しかしながら、上記のように、風（油煙を含む気体）がケーシング１内面のみならず、ケーシング１内に設けたエアーガイド４に接触するということは、騒音の発生原因になると考えられ、前述した第１の騒音問題を解決することができなくなると考えられる。
勿論、上記公報の段落００１１には、「エアーガイド４の入口縁４’は、流入時の風衝突のタイミングをずらすように傾斜縁、ギザギザ縁等にしてあり、これによって風が入口縁４ａ’全長に同時に衝突することによる騒音の発生を防止している」と記載されているが、入口だけの騒音発生防止を果しても、それは長いエアーガイド４のほんの一部であり、騒音防止効果は殆ど期待できないものと考えられる。それに、平面的なエアーガイド４の表面上を油煙を含む気体が単に流れるだけでは、油煙の捕集あるいは捕捉を十分行えるとは考えにくく、第２の油煙問題についても十分解消しているとは考えにくい技術となっている。
また、特許第３００９６４９号掲載公報には、「圧力損失を上昇させずに油脂分の捕獲効率を向上でき、しかもダクト側へ油脂分が流出するのを防止できるレンジフードを提供する」ことを目的とした、第１３図に示すような「レンジフード」が提案されている。
この第１３図に示した従来のレンジフードでは、上記目的を達成するために、「フード内に装備される送風機のファンを収容するファンケーシングの内面側を凹凸面とした」（請求項１の記載）ものであり、特に、請求項４に記載されているように、「上記胴部の凹凸が、ファンの回転による風（油煙を含む気体）の流れ方向を交又するように交互に連続して形成されている」ものである。
そうなると、ファンケーシング内に吸引された油煙を含む気体は、上記の凹凸面に衝突することになり、これにより、油煙の捕獲はなされるかも知れないが、上記第１２図に示した従来例のように、風の凹凸の面への衝突によって騒音が発生すると考えられるものとなっているのである。
そこで、本発明者は、レンジフードを使用した排気方法のメリットを十分生かしながら、騒音発生を極めて少なくすることができて、しかも油煙の回収を効果的に行うようにするにはどうしたらよいかについて種々検討を重ねてきた結果、本発明を完成したのである。
すなわち、本発明の目的とするところは、上流側にある一般的なフィルタによって捕集できなかった油煙を十分捕集することができることは当然として、この油煙捕集作業時、つまり油煙を含む気体が流れても騒音を発生させることのないレンジフード用ファン１００を提供することにある。
【発明の開示】
本発明は、以上の経緯に基づいてなされたものであり、まず、請求の範囲第１項に記載の発明の採った手段は、後述する最良の形態の説明中において使用する符号を付して説明すると、
「煮炊きをしているなべやフライパン等の調理器３００から立ち昇る油煙を含む気体をフード本体２１０により捕集して、この油煙を含む気体を排気ダクト２２０から屋外に排出するレンジフード２００において使用されて、フード本体２１０内に収納されるレンジフード用ファン１００であって、
このレンジフード用ファン１００を、一部にて排気ダクト２２０に接続されて、内部に排気通路１４を形成するケース本体１０と、このケース本体１０内の隔壁１２に支持されて、回転軸３１上にファン３２を有するファンモータ３０と、ケース本体１０の、フード本体２１０内に開口する部分に形成した排気吸引口１５とにより構成するとともに、
ケース本体１０の下方内部に、前記気体を透過し得る網体によって形成し、ファン３２の回転方向に延びて端部が排気通路１４に開口する複数の第１溝４１を有する第１フィルタ４０を配置するとともに、この第１フィルタ４０の内側に、前記気体を透過し得る網体によって形成し、前記第１溝４１よりも大きくかつ端部が排気通路１４に開口する複数の第２溝５１を有する第２フィルタ５０を配置して、
ファン３２によって排気吸引口１５から吸引された前記油煙を含む気体を、各第２溝５１及び第１溝４１に沿って流すことにより、第１フィルタ４０及び第２フィルタ５０によって前記気体内の油煙を液化して捕集するようにしたことを特徴とするレンジフード用ファン１００」
である。
すなわち、このレンジフード用ファン１００は、そのケース本体１０の下方内部の内面に、第８図〜第１０図に示すように、網体によって形成した第１フィルタ４０と第２フィルタ５０とを配置したものであり、これらの第１フィルタ４０及び第２フィルタ５０は、第１溝４１及びフィルタ２３０をそれぞれ有しているものである。特に、本発明のレンジフード用ファン１００では、第１フィルタ４０側の第１溝４１よりも第２フィルタ５０側の第２溝５１を大きくすることにより、第１０図に示すように、各第１溝４１が第２溝５１内に完全に入り込み、第１フィルタ４０及び第２フィルタ５０が互いに接触し合う部分を形成するようにしたものである。
以上のように構成したレンジフード用ファン１００は、そのファンモータ３０が回転すると、その回転軸３１に取付けてあったファン３２が回転して、当該のレンジフード用ファン１００のケース本体１０に形成してある排気吸引口１５から、レンジフード２００のフード本体２１０によって捕集された油煙を含む気体が吸引され始める。このとき、油煙を含む気体中の油煙の一部は、フード本体２１０内に設みてあるフィルタ２３０によって一次的に捕捉されるから、各排気吸引口１５に届く頃には少なくなっているが、完全にはなくなっていない。
以上のようにして、ファン３２の回転によって各排気吸引口１５から吸引された油煙を含む気体は、第９図中の白抜き矢印にて示すように、ケース本体１０内の排気通路１４中を流れるのであるが、このとき、第９図中の左端の白抜き矢印にて示すように、油煙を含む気体の大部分は、第１フィルタ４０及び第２フィルタ５０の図示左端から内部に入り込み、残りの油煙を含む気体は第２フィルタ５０表面（ファン３２側となる面）に沿って流れることになるのである。勿論、各第１フィルタ４０及び第２フィルタ５０は例えば金属の網体によって形成してあるから、流れている油煙を含む気体は、各網目を通して第１フィルタ４０及び第２フィルタ５０の内側から外側へ、あるいはその逆へと十分通過するのである。
以上のような第１フィルタ４０及び第２フィルタ５０の表面を流れ、あるいはこれを通過する油煙を含む気体は、当然第１フィルタ４０及び第２フィルタ５０の各網目に接触または通過することになるから、気体中に含まれていた油煙は液化し、第１フィルタ４０または第２フィルタ５０によって捕捉されることになるのである。捕捉された油煙は、後述する最良の形態で示すレンジフード用ファン１００では、ケース本体１０の底部に設けた油溜め２１内に溜められることになる。
そして、重要なことは、油煙を含む気体が第１フィルタ４０及び第２フィルタ５０の表面に接触したり、これらの網目を通過する際に、それ程大きな音が発生せず、当該レンジフード用ファン１００が騒音の発生源とはならないことである。その第１の理由は、各第１フィルタ４０及び第２フィルタ５０に形成してある第１溝４１及び第２溝５１に起因する油煙を含む気体の円滑な流れであり、第２の理由は、各第１フィルタ４０及び第２フィルタ５０が網目を有する文字通りのフィルタだからである。
第１の理由について、もう少し詳しく述べると、第１フィルタ４０の第１溝４１及び第２フィルタ５０の第２溝５１は、第９図に示すように、図中の白抜矢印で示した油煙を含む気体の流れ方向に沿って凹んでいるものであるから、この油煙を含む気体の流れに対しては、第１０図に示すように、抵抗となるようなものでは何もなく、油煙を含む気体を円滑に通過させるのである。また、第２フィルタ５０側の第２溝５１は第１フィルタ４０側の第１溝４１より大きく形成してあるため、第１０図にて示すように、第２溝５１内に第１溝４１が入った状態となって、第２フィルタ５０は第１フィルタ４０に密着したものとなっている。このため、仮に油煙を含む気体による力を受けたとしても、第２フィルタ５０も第１フィルタ４０も振動し合うことはなく、騒音を発生させることもないのである。
また、第２の理由について、もう少し詳しく述べると、各第１フィルタ４０及び第２フィルタ５０は網目を有するフィルタなのであるから、油煙を含む気体の流れは、これらの第１フィルタ４０や第２フィルタ５０内、あるいは外に対して自由に出入するのであり、これらの第１フィルタ４０や第２フィルタ５０によって油煙を含む気体の流れに音の発生源となるような大きな抵抗は全く生じないのである。また、油煙を含む気体の流れ部乱流が発生したとしても、この乱流は、各第１フィルタ４０及び第２フィルタ５０の網目によって整流されて消され、この乱流による騒音の発生はないのである。以上のことによって、各第１フィルタ４０及び第２フィルタ５０は、油煙を含む気体の流れによって騒音を発生することがないのである。
以上のような第１フィルタ４０及び第２フィルタ５０の表面に接触したり網目を通過したりすれば、油煙を含む気体中の油煙は、フード本体２１０内に設けたフィルタ２３０におけるのと同様にして液化されるのであり、これらの第１フィルタ４０及び第２フィルタ５０を伝って油溜め２１内等に流れて溜められるのである。
従って、この請求の範囲第１項に記載したレンジフード用ファン１００は、騒音の発生を抑えながら、フード本体２１０のフィルタ２３０を通してケース本体１０内に入ってきた油煙を含む気体中の油煙の大部分を除去することになるのであり、結果的に、排気ダクト２２０から排出される排気中に油煙がなくて、建物の外壁面が汚されることもなくなるのである。
次に、請求の範囲第２項に記載した発明について説明すると、この第２項の発明は、上記第１項の発明に係るレンジフード用ファン１００について、
「ケース本体１０の底部に、排気通路１４を開放する開閉蓋２０を設けて、この開閉蓋２０の内面に第１フィルタ４０及び第２フィルタ５０を着脱可能に取付けたこと」
を特徴とするものである。
すなわち、この請求の範囲第２項に係るレンジフード用ファン１００は、上記第１フィルタ４０及び第２フィルタ５０を、第９図及び第１０図に示したように、開閉蓋２０の内面に脱着可能に取付けるようにしたものであり、かつ、この開閉蓋２０は、第１図及び第１１図に示したように、ケース本体１０に対して開閉自在としたものである。
以上のようにした結果、この請求の範囲第２項に係るレンジフード用ファン１００では、開閉蓋２０を第１１図に示したように開放することにより、その内面に取り付けてある第１フィルタ４０及び第２フィルタ５０を、フード本体２１０内から取り外すことができるものである。つまり、フード本体２１０内のフィルタ２３０について交換や清掃等のメンテナンスを行う際に、当該レンジフード用ファン１００における第１フィルタ４０及び第２フィルタ５０についてのメンテナンスも同様に行えるのである。
従って、この請求の範囲第２項に係るレンジフード用ファン１００は、上記請求の範囲第１項に係るレンジフード用ファン１００と同様な機能を発揮する他、第１フィルタ４０及び第２フィルタ５０のメンテナンスも簡単に行えるものとなっているのである。
【図面の簡単な説明】  第１図は、本発明に係るレンジフード用ファン１００を内蔵したレンジフード２００を設置した台所を示す部分縦断面図であり、第２図は、レンジフード２００内のレンジフード用ファン１００の拡大右側面図であり、第３図は、同左側面図であり、第４図は、同正面図であり、第５図は、同背面図であり、第６図は、同平面図であり、第７図は、同底面図である。
第８図は、第２図中の１−１線に沿ってみた拡大横断面図であり、第９図は、第６図中の２−２線に沿ってみた拡大縦断面図であり、第１０図は、第８図中の２−２線部を拡大して示した部分拡横断面図である。
第１１図は、ケース本体１０の下に設けてある開閉蓋２０を開放した状態を示す部分破断左側面図である。
そして、第１２図は従来技術を示す縦断面図であり、第１３図は、別の従来技術を示す縦断面図である。
【符号の説明】
１００    レンジフード用ファン
１０    ケース本体
１１    排出口
１２    隔壁
１３    ダクト接続部
１４    排気通路
１５    排気吸引口
１６    ダンパ
２０    開閉蓋
２１    油溜め
２２    蝶番
２３    止めネジ
３０    ファンモータ
３１    回転軸
３２    ファン
３２ａ    ブレード
４０    第１フィルタ
４１    第１溝
４１ａ    端部
４２    第１フィルタ通路
５０    第２フィルタ
５１    第２溝
５１ａ    端部
５２    第２フィルタ通路
２００    レンジフード
２１０    フード本体
２２０    排気ダクト
２３０    フィルタ
３００    調理器
３１０    ガスレンジまたは電磁調理器
４１０    天井
４２０    壁
【発明を実施するための最良の形態】  次に、上述した各項の発明を、図面に示した最良の形態に係るレンジフード用ファン１００について説明すると、この最良形態のレンジフード用ファン１００は、上記各項の発明の全てを実質的に含むものである。
さて、第１図には、本発明に係るレンジフード用ファン１００を内蔵したレンジフード２００を、天井４１０に近接した状態で取り付けた台所の様子が示してあり、この台所では、壁４２０に接した状態で設置したガスレンジまたは電磁調理機３１０によって、なべやフライパン等の調理器３００を加熱するようにしていて、各調理器３００から発生した油煙を含む気体の捕捉は、レンジフード２００内に設けてある本発明に係るレンジフード用ファン１００による油煙を含む気体の吸引、及び排気ダクト２２０からの外部への排出によって促進されるものである。
このレンジフード２００による油煙を含む気体の吸引がなされている際には、フード本体２１０内に設けたフィルタ２３０によって油煙を含む気体中の油煙の除去がなされているのであるが、この除去は１００％なされる分ではなく、残部の油煙は、本発明に係るレンジフード用ファン１００内に吸引されるものである。
本発明に係るレンジフード用ファン１００は、第２図〜第１１図に示したように、一部にて排気ダクト２２０に接続されて、内部に排気通路１４を形成するケース本体１０と、このケース本体１０内の隔壁１２に支持されて、回転軸３１上にファンを３２を有するファンモータ３０と、ケース本体１０の、フード本体２１０内に開口する部分に形成した排気吸引口１５とにより構成するとともに、ケース本体１０の下方内部に、前記気体を透過し得る網体によって形成し、ファン３２の回転方向に延びて端部が排気通路１４に開口する複数の第１溝４１を有する第１フィルタ４０を配置するとともに、この第１フィルタ４０の内側に、前記気体を透過し得る網体によって形成し、前記第１溝４１よりも大きくかつ端部が排気通路１４に開口する複数の第２溝５１を有する第２フィルタ５０を配置したものである。
レンジフード用ファン１００のケース本体１０は、内部にファンモータ３０やファン３２を気密的に内蔵するものであり、その上端は、屋外に開口させてある排気ダクト２２０を接続するためのダクト接続部１３としてあり、このダクト接続部１３の内側を排出口１１としてある。また、このケース本体１０の左右両側には、第２図及び第３図に示したように、フード本体２１０が捕捉した油煙を含む気体を吸引するための排気吸引口１５がそれぞれ開口させてある。なお、このケース本体１０の排出口１１内には、排気ダクト２２０を通して侵入してくる外気を遮断するダンパ１６が設けてある。
また、このケース本体１０の下方には、第１図及び第１１図に示したように、開閉蓋２０が開閉自在に設けてあり、この開閉蓋２０は、第９図に示したように、蝶番２２によってケース本体１０に取付けたものである。なお、この開閉蓋２０は、蝶番２２とは反対側に設けた止めネジ２３によってケース本体１０に対して固定されるものである。
さて、ケース本体１０内の中央には、第８図に示したように、隔壁１２が設けてあって、この隔壁１２の両側は、排出口１１及び隔壁１２にそれぞれ連通する排気通路１４となっている。また、この隔壁１２は、第８図に示したように、ファンモータ３０を支持するものであり、このファンモータ３０の回転軸３１に固定したファン３２が隔壁１２の両側にそれぞれ回転不能に位置するようにしてある。
なお、各ファン３２は、ファンモータ３０の回転軸３１方向に延在する多数のブレード３２ａを設けた所謂「シロッコファン」であり、かつ、各ブレード３２ａは、各排気吸引口１５に向うに従って外側に傾斜するようにしてある。このようにファン３２を構成することによって、当該ファン３２による吸引力を高めるとともに、油煙を含む気体の送りに伴う騒音の発生をも防止するようにしたものである。
本発明に係るレンジフード用ファン１００では、第８図及び第９図に示したように、そのケース本体１０に構成してある排気通路１４に対して露出することになる第１フィルタ４０及び第２フィルタ５０が設けてある。当該最良形態においては、これらの第１フィルタ４０及び第２フィルタ５０は、前述した開閉蓋２０の内面側に着脱自在に取付てあり、そのメンテナンスが必要なときは、この開閉蓋２０から取り外されるものである。これらの第１フィルタ４０及び第２フィルタ５０は、金属の網あるいはパンチングメタルによって形成したものであるが、排気通路１４側となる第２フィルタ５０の網目を第１フィルタ４０のそれよりも大きくしてある。その理由は、油煙を含む気体が第２フィルタ５０を通して第１フィルタ４０にも到達し易くするためである。
開閉蓋２０に近接する第１フィルタ４０は、第１０図に示したように、多数の第１溝４１を形成したものであり、これらの第１溝４１と開閉蓋２０との間は、第１フィルタ通路４２となるようにしてある。各第１溝４１は、第９図に示したように、ファン３２の回転方向に延在する長尺なものであり、油煙を含む気体の流れに対する抵抗とはなりにくいものとしていると同時に、油煙を含む気体に対する接触面積が大きくなるようにしてある。また、各第１溝４１の両端部４１ａは、第９図に示したように、ケース本体１０に形成してある排気通路１４に対して開口していて油煙を含む気体の第１フィルタ通路４２内への導入やこれから導出が抵抗なく行えるようにしてある。
排気通路１４に直接面する第２フィルタ５０についても、第１０図に示したように、油煙を含む気体の流れ方向に沿った多数の第２溝５１を形成したものであるが、この第２溝５１は、第１フィルタ４０側の第１溝４１よりも大きなものとしてあり、当該最良形態では、１つの第２溝５１内に第１フィルタ４０側の２つの第１溝４１が入り込むことができる程度の大きさとしたものである。勿論、隣接し合う第２溝５１の間には、第１０図に示したように、第２フィルタ通路５２が形成されるのであり、この第２フィルタ５０の両端部５１ａは、第９図に示したように、排気通路１４内に開口するものである、以上の結果、この第２フィルタ５０についても、上記の第１フィルタ４０におけるのと同様に、油煙を含む気体の流れ方向にそった第２溝５１によって油煙を含む気体に対する抵抗を少なくするとともに、両端部５１ａによって油煙を含む気体の導入や排出が円滑になされるようにしてある。
両第１フィルタ４０及び第２フィルタ５０は、網目を有するものであるから、両者間での油煙を含む気体の移動は自在であることは言うまでもない。このことは、仮にケース本体１０内に油煙を含む気体の乱流が生じたとしても、この乱流は各網目を通して自由に移動するから、実質的には定常的な乱流とはならない。そして、このような油煙を含む気体の網目の通過、あるいは第１フィルタ４０及び第２フィルタ５０の表面への接触によって、油煙を含む気体中の油煙は、第１フィルタ４０または第２フィルタ５０によって捕集されて液化するのである。液化した油煙は、第１フィルタ４０及び第２フィルタ５０を伝って開閉蓋２０の内面に至り、これに設けてある油溜め２１内に溜められるのである。
ところで、この最良の形態に係るレンジフード用ファン１００では、第９図に示したように、油煙を含む気体が第１フィルタ４０及び第２フィルタ５０に最初に接触または通過する排気通路１４の部分は、第１フィルタ４０及び第２フィルタ５０の後端側に位置する排気通路１４の部分よりも狭くなるようにしてある。これにより、ケース本体１０の排出口１１に近い部分では、油煙を含む気体の圧力が低くなり、その中の油煙が液化し易くなるようにしてあり、液化した油煙の第１フィルタ４０及び第２フィルタ５０による捕捉をより確実に行えるようにしてある。これに対して、排気通路１４の、第９図の図示左側になっている両端部４１ａ・５１ａ部分が狭くなっていることによって、各ファン３２によって送り込まれた油煙を含む気体の殆どが、第１フィルタ４０の第１フィルタ通路４２、及び第２フィルタ５０の第２フィルタ通路５２内に入り込むようになっているのである。
【産業上の利用可能性】  以上のように構成した請求の範囲第１項に係るレンジフード用ファン１００は、ケース本体１０の底部内側に第１フィルタ４０及び第２フィルタ５０を設置するとともに、各第１フィルタ４０及び第２フィルタ５０に第１溝４１の流れ方向に沿った多数の第１溝４１及び第２溝５１を形成したので、フード本体２１０側の第２溝５１によっては除去し切れなかった油煙を捕捉することができるのであり、レンジフード用ファン１００に接続してある排気ダクト２２０から屋外に排出される排気ガス中の油分を極力少なくすることができるのである。これにより、本発明に係るレンジフード用ファン１００を設置することにより、排気ダクト２２０が開口している屋外の壁面に、油分による汚れは殆ど付くことがなく、建物を美しく保つことができるのである。
また、請求の範囲第２項に係るレンジフード用ファン１００によれば、上述した第１項に係るレンジフード用ファン１００と同様な効果を発揮することができる他、ケース本体１０の下方に設けた開閉蓋２０に内面に第１フィルタ４０及び第２フィルタ５０を着脱自在に設けるようにしたので、これら第１フィルタ４０及び第２フィルタ５０の清掃や交換等のメンテナンスを簡単に行うことができるのであり、当該レンジフード用ファン１００の耐久性をより一層向上させることもできるものとるっているのである。
【図１】
2005003640.tif 000003
【図２】
2005003640.tif 000004
【図３】
2005003640.tif 000005
【図４】
2005003640.tif 000006
【図５】
2005003640.tif 000007
【図６】
2005003640.tif 000008
【図７】
2005003640.tif 000009
【図８】
2005003640.tif 000010
【図９】
2005003640.tif 000011
【図１０】
2005003640.tif 000012
【図１１】
2005003640.tif 000013
【図１２】
2005003640.tif 000014
【図１３】
2005003640.tif 000015
【国際調査報告】
2005003640.tif 000016
2005003640.tif 000017